(57)【要約】【課題】部品点数を少なく、全体の総重量を軽くし、狭い保管スペースですみ、適宜鏡本体と脚台を組立又は分解でき、移送作業も効率よくできる大型の鏡を提供する。【課題を解決するための手段】鏡本体Ｍの背面部２に、支柱受金具３ａ、３ｂ、３ｃ、３ｄが取り付けられ、また、底部にキャスター４ａ、４ｂを装着し、上方に支柱４ｃを立設した脚台４及び底部にキャスター５ａ、５ｂを装着し、上方に支柱５ｃを立設した脚台５からなり、支柱受金具３ａ、３ｂ、３ｃ、３ｄは、基板３０と挿通口４０を形成した支承部５０からなる。【選択図】  図１
2004298588.tif 000002
【特許請求の範囲】
【請求項１】
全身を映せる大型の鏡であって、
裏面の上下に左右対称となるように、挿通口を形成した支承部と基板よりなる支柱受金具を取り付けた鏡本体と、
底部の前後にキャスターを装着すると共に、その両キャスターのほぼ中間部位上方に前記、支柱受金具の挿通口に挿通される支柱を、それぞれ立設した左右の脚台と、よりなることを特徴とする、組立・分解容易なキャスター付き鏡。
【請求項２】
前記支柱受金具に形成される挿通口は、挿通される支柱の横断面形状と大きさに適合するように設けられていることを特徴とする、請求項１記載の組立・分解容易なキャスター付き鏡。
【請求項３】
前記支柱受金具の支承部は、基板に固定されているか又は、起倒可能とされていることを特徴とする、請求項１記載ないし請求項２記載の組立・分解容易なキャスター付き鏡。
【請求項４】
前記脚台の長さ、巾、形状等は、鏡本体の寸法、総重量等に適合するように設定されていることを特徴とする、請求項１記載ないし請求項３記載の組立・分解容易なキャスター付き鏡。
【請求項５】
前記鏡本体の四周囲端縁部を細巾のフレームで囲繞していることを特徴とする、請求項１記載ないし請求項３記載の組立・分解容易なキャスター付き鏡。
【発明の詳細な説明】
【０００１】
【発明の属する技術分野】本発明は、垂直になっている鏡面と約１ｍ離れて対向した地点で、少なくとも普通の大人の頭部からつま先までが映る、大型で組立及び分解が容易なキャスター付き鏡に関する。
【０００２】
【従来の技術】従来のキャスター付き鏡として、特開平９−１３１２５０が開示されているが、この発明におけるキャスターは、鏡板の重量を支えることと、袖鏡板を折り畳んだ状態でスムーズな移動ができることを目的としているもので、また、市販されているキャスター付き鏡は、鏡本体、キャスター、脚台等が一体化されてはいるが、鏡本体とキャスター装着の脚台を必要に応じて、組立又は分解できる大型の鏡についての、発明又は考案は提案されていないしかつ、市販されてもいない。
【０００３】
【発明が解決しようとする課題】
市販のキャスター付き鏡は、鏡本体、キャスター、脚台等を一体化するために多数の部品が必要となり、そのために全体の総重量も重くなりかつ、広い保管スペースを必要としさらに、車両等による輸送時は積み込み、積み下ろしに多くの人手を要し、縦置き状態での搬送となるため転倒による鏡破損の危険性も高い等々の問題点を有する。
【０００４】
本発明は、上述した従来技術の種々の問題点を解決し、部品の数を少なく、全体の総重量を軽くし、狭い保管スペースですみ、必要と目的に応じて鏡本体とキャスター装着の脚台を組立又は分解でき、屋内の移動はもちろん遠方への搬送作業も、少ない人手で可能な大型の鏡を提供することを目的としている。
【０００５】
【課題を解決するための手段】
請求項１に係る組立・分解容易なキャスター付き鏡は、全身を映せる大型の鏡であって、裏面の上下に左右対称となるように、挿通口を形成した支承部と基板よりなる支柱受金具を取り付けた鏡本体と、底部の前後にキャスターを装着すると共に、その両キャスターのほぼ中間部位上方に前記、支柱受金具の挿通口に挿通される支柱を、それぞれ立設した左右の脚台と、よりなることを特徴とするものである。
【０００６】
請求項２は、請求項１記載の組立・分解容易なキャスター付き鏡にあって、前記支柱受金具に形成される挿通口は、挿通される支柱の横断面形状と大きさに適合するように設けられていることを特徴とするものである。
【０００７】
請求項３は、請求項１ないし請求項２記載の組立・分解容易なキャスター付き鏡にあって、前記支柱受金具の支承部は、基板に固定されているか又は、起倒可能とされていることを特徴とするものである。
【０００８】
請求項４は、請求項１ないし請求項３記載の組立・分解容易なキャスター付き鏡にあって、前記脚台の長さ、巾、形状等は、鏡本体の寸法、総重量等に適合するように設定されていることを特徴とするものである。
【０００９】
請求項５は、請求項１ないし請求項３記載の組立・分解容易なキャスター付き鏡にあって、前記鏡本体の四周囲端縁部を細巾のフレームで囲繞していることを特徴とするものである。
【００１０】
【発明の実施の形態】以下、本発明に係る、組立・分解容易なキャスター付き鏡の好適な実施形態を、図面に示した実施例に基づいて説明する。図１は、キャスター付き鏡の組立状態の背面側斜視図、図２は組立状態の側面図、図３は鏡本体と脚台を分離した状態の背面側斜視図、図４は支柱受金具の斜視図、図５は支柱受金具の他の実施例における斜視図、図６は組立又は分解作業を説明するための背面図、図７は使用状態の他の例を示す正面図と側面図である。
【００１１】
図１において、Ｍは鏡本体を示し、１は正面部であり、その四周囲端縁部１ａ、１ｂ、１ｃ、１ｄは、破損防止のための細巾のフレームＦで囲繞している。２は鏡本体Ｍの背面部で、底端縁部１ｃと左右端縁部１ｂ、１ｄ近傍に支柱受金具３ａ、３ｂが取り付けられまた、図２に示すように、鏡本体Ｍの縦寸法Ｌの中心線Ｃよりは上方にかつ、支柱受金具３ａ、３ｂの垂直線上に、それぞれ支柱受金具３ｃと３ｄが対称位置に皿ねじ等により取り付けられている。
【００１２】
４及び５は、鏡本体Ｍを載置する鉄又はアルミ等よりなる有底の脚台で、その底部の鏡本体Ｍの正面部１側と背面部２側に各々ストッパー付きのキャスター４ａ、４ｂ、５ａ、５ｂが装着されている。また、図２に示すように、鏡本体Ｍの重心は、脚台５に装着されたキャスター５ａと５ｂの横巾Ｗの中心部Ｃ’上に載架するように設定され、その中心部Ｃ’よりキャスター５ｂ寄りに支柱５ｃが、その底部５ｄを溶接等により固定し、垂直状に立設されている。他方の脚台４には同様に、キャスター４ａ、４ｂの中心部Ｃ’よりキャスター４ｂ寄りに支柱４ｃがその底部４ｄを溶接等により固定し、垂直状に立設されている（図１参照）。
【００１３】
図３は鏡本体Ｍと脚台４、５を分離した状態を示し、図４は、鏡本体Ｍの背面部２に取り付けられた支柱受金具３ｄと支柱５ｃの拡大斜視図で、支柱受金具３ｄは、基板３０と挿通口４０を形成した支柱５ｃの支承部５０よりなり、基板３０は、皿ねじ３０ａ、３０ｂ、３０ｃ、３０ｄ等により鏡本体Ｍの背面部２に固定されている。６０及び６１はヒンジで、基板３０のほぼ中心部でねじ６０ａ、６１ａにより固定され、支承部５０が起倒し、回動可能とされている。挿通口４０の形状及び大きさは、図４に示すように、脚台５に立設される横断面が四角形の支柱５ｃが、容易に挿通しかつ、がたつきが起きない形状例えば、平面視ほぼ英文字Ｄ状に設定されている。
【００１４】
図５は、支柱受金具の他の実施形態を示し、基板７０は、皿ねじ７０ａ、７０ｂ、７０ｃ、７０ｄ等により鏡本体Ｍの背面部２に固定され、支承部８０の両側端部８０ａ、８０ｂは、基板７０のほぼ中心でそれぞれ溶接８０ｃ、８０ｄされ、固定される。挿通口９０の形状及び大きさは、支柱１００の横断面形状と大きさに適合するように形成されている。
【００１５】
図６は、鏡本体Ｍと脚台４及び５の組立又は分解作業の説明図で、組立作業は以下の手順で進行する。まず、一人の作業者が鏡本体Ｍを床面ＦＬに横倒し状態にしてこれを保持し、他の作業者が、脚台４に立設されている支柱４ｃを床面ＦＬと平行状態にし、支柱４ｃの先端部４ｆを支柱受金具３ａの挿通口４０に挿入し、これをＰ方向にスライドさせ、支柱受金具３ｃの挿通口４０に挿入させる。次に、脚台５に立設されている支柱５ｃも同様に、床面ＦＬと平行状態にし、支柱５ｃの先端部５ｆを支柱受金具３ｂの挿通口４０に挿入し、これをＰ’方向にスライドさせ、支柱受金具３ｄの挿通口４０に挿入させ、一人又は二人の作業者でこれをＳ方向に転動起立させて、組立作業は終了する。組立作業終了後は、その場所に配置するか又は、鏡本体Ｍを目的方向に押しながらキャスター４ａ、４ｂ及び５ａ、５ｂを作動させて所望する場所へ移動し、適宜使用する。
【００１６】
分解作業は、組立作業の逆の手順で進行するもので、一人又は二人の作業者でこれをＤ方向に転動倒置させて一人の作業者でこれを保持し、他の作業者が脚台５と支柱５ｃを両手で支柱受金具３ｄ及び３ｂからＲ’方向に引き出し、次に脚台４と支柱４ｃを両手で支柱受金具３ｃ及び３ａからＲ方向に引き出して分解作業は終了する。
【００１７】
図７（ａ）は、鏡本体Ｍを脚台４及び５から分離して使用する他の例を示す正面図で、図７（ｂ）はその側面図で、鏡本体Ｍは、壁面Ｋ等にねじ止めｂ、ｂ’されたフックＦＫ、ＦＫ’に支柱受金具３ａ、３ｂの支承部５０の挿通口４０を介してそれぞれ掛吊して使用する。
【００１８】
なお、脚台４及び５、支柱４ｃ、５ｃ、基板３０、支承部５０及び挿通口４０等の形状、寸法等は、図示例等に限定されるものではなく、本発明の主旨の範囲内において適宜自由に設定、変更可能であることはいうまでもない。
【００１９】
【発明の効果】
本発明に係る、組立・分解容易なキャスター付き鏡は、上記の構成をもってなるから以下の効果を奏する即ち、▲１▼部品点数が少ないので総重量が軽くかつ、低コストで製作できる。▲２▼組立・分解が容易であり、搬送等も効率良くできる。▲３▼鏡本体Ｍの四周囲端縁部１ａ、１ｂ、１ｃ、１ｄは、破損防止のための細巾のフレームＦで囲繞しているので、複数並列しても違和感なく使用することができる。
▲４▼鏡本体Ｍを脚台４及び５から分離して保管できるので、収納スペースは少なくて良い。▲５▼鏡本体Ｍは、脚台４及び５を分離し、壁面Ｋ等に取り付けたフックＦＫ、ＦＫ’に掛吊して使用することができる。
【００１９】
【図面の簡単な説明】
【図１】本発明に係る、キャスター付き鏡の組立状態の背面側斜視図である。
【図２】同組立状態の側面図である。
【図３】同鏡本体Ｍと脚台４及び５を分離した状態の背面側斜視図である。
【図４】同支柱受金具３ｄの斜視図である。
【図５】同支柱受金具の他の実施例における斜視図である。
【図６】本発明に係る、キャスター付き鏡の組立又は分解作業を説明するための背面図である。
【図７】（ａ）使用状態の他の例を示す正面図である。
【図７】（ｂ）同側面図である。
【符号の説明】
Ｍ                              鏡本体
１                              正面部
２                              背面部
Ｆ                              フレーム
３ａ、３ｂ、３ｃ、３ｄ          支柱受金具
４、５                          脚台
４ａ、４ｂ、５ａ、５ｂ          キャスター
４ｃ、５ｃ                      支柱
３０                            基板
４０                            挿通口
５０                            支承部
６０、６１                      ヒンジ
３０ａ、３０ｂ、３０ｃ、３０ｄ  皿ねじ
ＦＫ、ＦＫ’                    フック
【図１】
2004298588.tif 000003
【図２】
2004298588.tif 000004
【図３】
2004298588.tif 000005
【図４】
2004298588.tif 000006
【図５】
2004298588.tif 000007
【図６】
2004298588.tif 000008
【図７】
2004298588.tif 000009